(57)【要約】【課題】ボタンの着脱操作を容易化する。【解決手段】ボタン本体１１０の脚部１１２をボタン受具１２０に押しつけると（ｄ２）、ボタン受具１２０の上部の膨らみに沿ってボタン本体１１０の３本の脚部１１２が撓んで下部が水平方向に開いてその間にボタン受具１２０を受け入れ、ボタン受具１２０と嵌合する。側部をつまんでボタン本体１１０の頭部１１１を水平方向に押しつぶす（ｄ４）と、３本の脚部１１２は相互に当接している箇所を変化させながら相互に作用し合って撓みながら回転し３本の脚部１１２の下部を水平方向に開き、ボタン受具１２０を解放する【選択図】図１
2006068185.tif 000002
【特許請求の範囲】
【請求項１】
衣服の開きをとめるために用いられる衣服用のボタンであって、
衣服の一方の側に装着されるボタン本体と、衣服の他方の側に装着されるボタン受具とを有し、
前記ボタン本体は、可撓性ある頭部と、前記頭部に連結された、前記ボタン受具と係止し合う係止部とを有し、
前記係止部は、ボタン受具と係止し合っている状態において行われた前記使用者による前記頭部の衣服の面と平行な方向への押しつぶし操作による当該頭部の変形に追従して、前記ボタン受具と係止し合わない形状に変形することを特徴とする衣服用のボタン。
【請求項２】
衣服の開きをとめるために用いられる衣服用のボタンであって、
衣服の一方の側に装着されるボタン本体と、衣服の他方の側に装着されるボタン受具とを有し、
前記ボタン本体は、可撓性ある頭部と、前記頭部に連結された、前記ボタン受具と係止し合う係止部とを有し、
前記係止部は、ボタン受具と係止し合っている状態において行われた前記使用者による前記頭部の衣服の面と平行な方向への押しつぶし操作による当該頭部の変形に追従して、前記ボタン受具と係止し合わない位置に移動することを特徴とする衣服用のボタン。
【請求項３】
衣服の開きをとめるために用いられる衣服用のボタンであって、
衣服の一方の側に装着されるボタン本体と、衣服の他方の側に装着されるボタン受具とを有し、
前記ボタン本体は、可撓性ある頭部と、前記ボタン受具に弾性をもって押し込まれ当該ボタン受具と嵌合とする、前記頭部に連結された嵌合部とを有し、
前記嵌合部は、ボタン受具と嵌合している状態において行われた前記使用者による前記頭部の衣服の面と平行な方向への押しつぶし操作による当該頭部の変形に追従して移動し、前記ボタン受具から引き抜かれることを特徴とする衣服用のボタン。
【発明の詳細な説明】
【技術分野】
【０００１】
本発明は、着脱操作を容易化した衣服用ボタンに関するものである。
【背景技術】
【０００２】
衣服の開きをとめるために用いられる衣服用のボタンとしては、ボタンホールに通して止める皿状や半球形のボタンが広く用いられている。また、着脱可能に弾性をもって嵌合する凸形状の部材と凹形状の二つの部材とよりなるスナップボタンも広く用いられている。 
また、幼児や器用に手先が使えない状態にある人であっても容易に着脱操作を行えるようにしたボタンとしては、永久磁石を埋め込んだ二つの部材により、磁力をもって衣服の開きをとめるボタンが知られている（たとえば、特許文献１）。
【特許文献１】実登3096017号
【発明の開示】
【発明が解決しようとする課題】
【０００３】
さて、ボタンホールに通してとめるタイプのボタンの着脱には、比較的指先の細かい操作が必要となるため、幼児や器用に手先が使えない状態にある人にとって着脱がし難いものである。
一方、スナップボタンや永久磁石を使ったボタンの着脱には、指先の細かい操作が比較的必要とされない。しかしながら、これらのボタンは衝撃や衣服の引っ張りなどにより、ボタンの意図せざる脱落が生じやすく、このような脱落を充分に防止するためにボタンを構成する二つの部材間の結合力を高めると、この二つの部材の結合を解除するためにも大きな力が必要となってしまい、容易にその操作が行えなくなるという問題がある。
【０００４】
そこで、本発明は、着脱操作が容易であって、かつ、意図せざる脱落が生じ難いボタンを提供することを課題とする。
【課題を解決するための手段】
【０００５】
前記課題達成のために、本発明は、衣服の開きをとめるために用いられる衣服用のボタンとして、衣服の一方の側に装着されるボタン本体と、衣服の他方の側に装着されるボタン受具とを有し、前記ボタン本体は、可撓性ある頭部と、前記頭部に連結された前記ボタン受具と係止し合う係止部とを有し、前記係止部は、ボタン受具と係止し合っている状態において行われた前記使用者による前記頭部の衣服の面と平行な方向への押しつぶし操作による当該頭部の変形に追従して、前記ボタン受具と係止し合わない形状に変形する衣服用のボタンを提供する。
【０００６】
また、前記課題達成のために、本発明は、衣服の開きをとめるために用いられる衣服用のボタンとして、衣服の一方の側に装着されるボタン本体と、衣服の他方の側に装着されるボタン受具とを有し、前記ボタン本体は、可撓性ある頭部と、前記頭部に連結された、前記ボタン受具と係止し合う係止部とを有し、前記係止部は、ボタン受具と係止し合っている状態において行われた前記使用者による前記頭部の衣服の面と平行な方向への押しつぶし操作による当該頭部の変形に追従して、前記ボタン受具と係止し合わない位置に移動する衣服用のボタンを提供する。
【０００７】
これらの衣服用のボタンによれば、ボタン本体の頭部をつまんでつぶすだけの、幼児や器用に手先が使えない状態にある人にとっても比較的容易に行うことができる操作でボタンをはずすことができる。また、このようにボタンをはずすためには、頭部が衣服と平行な方向につぶれる必要があるところ、このようなつぶれは、衝撃や衣服の引っ張りなどによっては生じ難い。したがって、本発明によれば、ボタンによって衣服を強固にとめることができる。
【０００８】
また、前記課題達成のために、本発明は、衣服の開きをとめるために用いられる衣服用のボタンとして、衣服の一方の側に装着されるボタン本体と、衣服の他方の側に装着されるボタン受具とを有し、前記ボタン本体は、可撓性ある頭部と、前記ボタン受具に弾性をもって押し込まれ当該ボタン受具と嵌合とする、前記頭部に連結された嵌合部とを有し、前記嵌合部は、ボタン受具と嵌合している状態において行われた前記使用者による前記頭部の衣服の面と平行な方向への押しつぶし操作による当該頭部の変形に追従して移動し、前記ボタン受具から引き抜かれる衣服用のボタンを提供する。
【０００９】
このような衣服用のボタンによれば、ボタン本体の頭部をつまんでつぶすだけの、幼児や器用に手先が使えない状態にある人にとっても比較的容易に行うことができる操作でボタンをはずすことができる。
【発明の効果】
【００１０】
以上のように、本発明によれば、着脱操作が容易であって、かつ、意図せざる脱落が生じ難いボタンを提供することができる。
【発明を実施するための最良の形態】
【００１１】
以下、本発明の実施形態について説明する。
まず、第１の実施形態について説明する。
図１に本第１実施形態に係るボタンを示す。図示するように、本ボタンは、ボタン本体１１０と、ボタン受具１２０とより構成される。
図中、ａはボタン本体１１０の構造を示すものであり、ａ１はボタン本体１１０の上面を、ａ２はボタン本体１１０の正面を、ａ３はボタン本体１１０の下面を表している。また、ａ４はボタン本体１１０の正面からみたボタン内部の構造を破線で表したものである。
図示するように、ボタン本体１１０は、ふせた椀状の頭部１１１と頭部１１１の内側から延びる３本の脚部１１２よりなり、両者とも合成樹脂や合成ゴムなどの可撓性ある材質を用いて形成されている。そして、三本の脚部１１２は、その上下方向の中程の位置で相互に水平方向内側の面が当接するカーブ形状を有しており、その下方先端部には水平方向内側に突出した係止部１１３が形成されている。
【００１２】
次に、図中、ｂはボタン受具１２０の構造を示すものであり、ｂ１はボタン受具１２０の上面を、ｂ２はボタン受具１２０の正面を、ｂ３はボタン受具１２０の下面を表している。
図示するように、ボタン受具１２０は、上部が膨らんだ茸雲状の部材であり、水平方向中央には、上下に貫通する孔１２１が設けられている。
以下、このようなボタンの使用法について説明する。
図ｄは、ボタンの使用法とボタンの機構を模式的に示した図である。
ボタン本体１１０は、図ｃに示す衣服１３０のボタンホール１３１に頭部１１１を通すことにより、図ｄ１に示すように衣服に装着される。一方、ボタン受具１２０は、孔１２１に糸を通して縫いつけることにより図ｄ１に示すように衣服に装着される。
さて、ボタンをとめる場合、使用者は、図ｄ１の状態から、ボタン本体１１０の脚部１１２をボタン受具１２０に押しつける。そうすると、図ｄ２に示すように、ボタン受具１２０の上部の膨らみに沿ってボタン本体１１０の３本の脚部１１２が撓んで下部が水平方向に開き、図ｄ３に示すように３本の脚部１１２の間にボタン受具１２０の上部の膨らみを受け入れる。そして、この状態において、ボタン本体１１０の脚部１１２の係止部１１３は、ボタン受具１２０の膨らみの下面と当接して係り合い、ボタン本体１１０のボタン受具１２０からの脱落を強固に抑止する。
【００１３】
次にボタンをはずす場合、使用者は、図ｄ４に示すように、側部をつまんでボタン本体１１０の頭部１１１を水平方向に押しつぶす。そうすると、３本の脚部１１２は相互に当接している箇所を変化させながら相互に作用し合って撓みながら回転し３本の脚部１１２の下部を水平方向に開き、ボタン受具１２０を解放する。
【００１４】
以上、本発明の第１の実施形態について説明した。
以上のように本第１実施形態に係るボタンによれば、ボタン本体１１０を押し込むだけの容易な操作でボタンをとめることができると共に、ボタン本体１１０の頭部１１１をつまんでつぶすだけの、幼児や器用に手先が使えない状態にある人にとっても比較的容易に行うことができる操作でボタンをはずすことができる。ここで、本第１実施形態に係るボタンによれば、ボタンをはずすためには、頭部１１１が衣服と平行な方向につぶれる必要があるところ、このようなつぶれは、衝撃や衣服の引っ張りなどによっては生じ難い。したがって、本第１実施形態によれば、ボタンによって衣服を強固にとめることができる。
【００１５】
次に、本発明の第２の実施形態について説明する。
図２に本第２実施形態に係るボタンを示す。図示するように、本ボタンは、ボタン本体２１０と、ボタン受具２２０とより構成される。
図中、ａはボタン本体２１０の構造を示すものであり、ａ１はボタン本体２１０の上面を、ａ２はボタン本体２１０の正面を、ａ３はボタン本体２１０の下面を表している。また、ａ４はボタン本体２１０の正面からみたボタン内部の構造を破線で表したものである。
【００１６】
図示するように、ボタン本体２１０は、中空ドーム状の頭部２１１と頭部２１１の下端の側部から延びる二本の左右に並んだ脚部２１２よりなり、両者とも合成樹脂や合成ゴムなどの可撓性ある材質を用いて形成されている。そして、二本の脚部２１２は、頭部２１１の水平方向中央付近から下方に延びる形状を有しており、その下方先端部には水平方向外側方向に突出した係止部２１３が形成されている。また、頭部２１１には、前後方向端部には、孔２１４が設けられている。
【００１７】
次に、図中、ｂはボタン受具２２０の構造を示すものであり、ｂ１はボタン受具２２０の上面を、ｂ２はボタン受具２２０の正面を、ｂ３はボタン受具２２０の下面を表している。また、ｂ４はボタン受具２２０の正面からみたボタン内部の構造を破線で表したものである。
【００１８】
図示するように、ボタン受具２２０は、上部にすぼまった開口２２１を有する中空の部材であり、衣服装着用の上下に貫通する孔２２２が設けられている。
以下、このようなボタンの使用法について説明する。
さて、ボタン本体２１０は、図ａ５に側部からみたボタン本体２１０の内部を示すように、孔２１４に糸を通して縫いつけることにより衣服２３１に装着される。また、ボタン受具２２０も、図ｂ５に示すように、側部からみたボタン受具２２０の内部を示すように、孔２２２に糸を通して縫いつけることにより衣服２３２に装着される。
【００１９】
さて、図ｃは、このようなボタンの使用法とボタンの機構を模式的に示した図である。
ボタンをとめる場合、使用者は、図ｃ１の状態から、ボタン本体２１０の脚部２１２をボタン受具２２０に、図ｃ２に示すように、ボタン本体２１０の二本の脚部２１２の先端の係止部２１３とボタン受具２２０の開口２２１の縁が当接するように押しつける。そうすると、ボタン本体２１０の二本の脚部２１２は、先端の係止部２１３の丸みにボタン受具２２０の開口２２１の縁から加わる力によって中央方向にすぼまるように撓んで、図ｃ３に示すように開口２２１を通ってボタン受具２２０の内側に侵入する。また、ボタン受具２２０の内側に侵入すると、ボタン受具２２０の開口２２１の縁からの力が加わらなくなったボタン本体２１０の二本の脚部２１２は再度水平方向に広がる。そして、この状態において、ボタン本体２１０の脚部２１２の係止部２１３は、ボタン受具２２０の開口２２１の内側の縁と当接して係り合い、ボタン本体２１０のボタン受具２２０からの脱落を強固に抑止する。
【００２０】
次にボタンをはずす場合、使用者は、図ｃ４に示すように、側部をつまんでボタン本体２１０の頭部２１１を水平方向に押しつぶしながら、上方に移動する。そうすると、ボタン本体２１０の頭部２１１の水平方向の押しつぶしに伴い、２本の脚部２１２は回転して中央方向にすぼまり先端の係止部２１３がボタン受部の開口２２１の内側に移動し、ボタン受具２２０の開口２２１の内側の縁との係り合いが解除される。そして、ボタン本体２１０の上方への移動に伴い、ボタン本体２１０の２本の脚部２１２がボタン受具２２０から脱出する。
【００２１】
以上、本発明の第２の実施形態について説明した。
以上のように本第２実施形態に係るボタンにおいても、ボタン本体２１０を押し込むだけの容易な操作でボタンを強固にとめることができると共に、ボタン本体２１０の頭部２１１をつまんでつぶすだけの、幼児や器用に手先が使えない状態にある人にとっても比較的容易に行うことができる操作でボタンをはずすことができる。
【００２２】
以下、本発明の第３の実施形態について説明する。
図３に本第３実施形態に係るボタンを示す。図示するように、本ボタンは、ボタン本体３１０と、ボタン受具３２０とより構成される。
図中、ａはボタン本体３１０の構造を示すものであり、ａ１はボタン本体３１０の上面を、ａ２はボタン本体３１０の正面を、ａ３はボタン本体３１０の下面を表している。また、ａ４はボタン本体３１０の正面からみたボタン内部の構造を破線で表したものである。
【００２３】
図示するように、ボタン本体３１０は、伏せたお椀状の頭部と頭部３１１の内側から下方に延びる、下端に水平方向に突出した弾性部材支持部３１３を備えた竿部３１２と、竿部の周囲を取り囲むように配置された弾性部材３１４とを有している。また、ボタン本体３１０は合成樹脂や合成ゴムなどの可撓性ある材質を用いて形成されている。また、弾性部材３１４は、合成ゴム等の弾性のある材質を用いて形成されている。
【００２４】
そして、弾性部材３１４は、水平方向中央部に設けた上下に貫通する孔に竿部３１２を通した形態で配置されており、竿部３１２の弾性部材支持部３１３と頭部３１１の内壁面との間に拘束されている。また、弾性部材３１４の下部は、その外径が、下端に向かって大きくなる形状を有している。
【００２５】
次に、図中、ｂはボタン受具３２０の構造を示すものであり、ｂ１はボタン受具３２０の上面を、ｂ２はボタン受具３２０の正面を、ｂ３はボタン受具３２０の下面を表している。また、ｂ４はボタン受具３２０の正面からみたボタン内部の構造を破線で表したものである。
【００２６】
図示するように、ボタン受具３２０は、上部にすぼまった開口３２１を有する中空の部材であり、衣服装着用の上下に貫通する孔３２２が設けられている。
以下、このようなボタンの使用法について説明する。
さて、ボタン本体３１０は、前記第１実施形態のボタン本体１１０と同様にボタンホールに頭部３１１を通すことにより、図中ｃ１に示すように衣服に装着される。また、ボタン受具３２０は、図ｂ５に示すように、側部からみたボタン受具３２０の内部を示すように、孔３２２に糸を通して縫いつけることにより衣服３３１に装着される。
【００２７】
さて、図ｃは、このようなボタンの使用法とボタンの機構を模式的に示した図である。
図ｃ１の状態から、ボタンをとめる場合、使用者は、図ｃ２に示すように、側部をつまんでボタン本体３１０の頭部３１１を水平方向に押しつぶす。この結果、ボタン本体３１０の変形に伴って竿部３１２の先端の弾性部材支持部３１３が上方に移動し、弾性部材３１４が頭部３１１の内壁面との間で押つぶすことにより、下部の外径が減少するように変形あうる。次に、この状態で、弾性部材３１４の下端部を、ボタン受具３２０の開口３２１から挿入し手を離す。そうすると、図ｃ３に示すように、ボタン受具３２０の内側に挿入され、弾性部材支持部３１３からの力が加わらなくなったボタン本体３１０の弾性部材３１４の下部の外形は元の大きさに復帰する。そして、この状態において、ボタン本体３１０の弾性部材３１４は、ボタン受具３２０の開口３２１の内側の縁と当接して係り合い、ボタン本体３１０のボタン受具３２０からの脱落を強固に抑止する。
【００２８】
次にボタンをはずす場合には、逆に、側部をつまんでボタン本体３１０の頭部３１１を水平方向に押しつぶしたまま、弾性部材３１４の下部をボタン受具３２０から引き抜く。
以上、本発明の第３の実施形態について説明した。
以上のように本第３実施形態に係るボタンによれば、ボタン本体３１０の頭部３１１をつまんでつぶすだけの、幼児や器用に手先が使えない状態にある人にとっても比較的容易に行うことができる操作でボタンの着脱を行うことができる。
次に、本発明の第４の実施形態について説明する。
図４に本第４実施形態に係るボタンを示す。図示するように、本ボタンは、ボタン本体４１０と、ボタン受具４２０とより構成される。
図中、ａはボタン本体４１０の構造を示すものであり、ａ１はボタン本体４１０の上面を、ａ２はボタン本体４１０の正面を、ａ３はボタン本体４１０の下面を表している。また、ａ４はボタン本体４１０の正面からみたボタン内部の構造を破線で表したものである。
【００２９】
図示するように、ボタン本体４１０は、ドーム状の頭部４１１と頭部４１１の内側上部から下方に延びる３本の脚部４１２よりなり、両者とも合成樹脂や合成ゴムなどの可撓性ある材質を用いて形成されている。そして、３本の脚部４１２の各々の下部には、水平方向中央方向を向いたへこみ４１３が設けられている。
また、頭部４１１には、前後方向端部には、孔４１４が設けられている。
【００３０】
次に、図中、ｂはボタン受具１２０の構造を示すものであり、ｂ１はボタン受具１２０の上面を、ｂ２はボタン受具１２０の正面を、ｂ３はボタン受具１２０の下面を表している。
図示するように、ボタン受具１２０は、上部が膨らんだ茸雲状の部材であり、水平方向中央には、上下に貫通する孔４２１が設けられている。
以下、このようなボタンの使用法について説明する。
さて、ボタン本体４１０は、図ａ５に側部からみたボタン本体４１０の内部を示すように、孔４１４に糸を通して縫いつけることにより衣服４３１に装着される。また、ボタン受具４２０も、図ｃ１に示すように、側部からみたボタン受具４２０の内部を示すように、孔４２１に糸を通して縫いつけることにより衣服に装着される。
【００３１】
さて、図ｃは、このようなボタンの使用法とボタンの機構を模式的に示した図である。
さて、ボタンをとめる場合、使用者は、図ｃ１の状態から、ボタン本体４１０の脚部４１２をボタン受具４２０に押しつける。そうすると、図ｃ２に示すように、ボタン受具４２０の上部の丸みに沿ってボタン本体４１０の３本の脚部４１２が撓んで下部が水平方向に開き、図ｃ３に示すように３本の脚部１１２のへこみ４１３の間にボタン受具４２０の膨らみを受け入れて挟持する。そして、これにより、ボタン本体４１０のボタン受具４２０からの脱落を強固に抑止する。
【００３２】
次に、ボタンをはずす場合、使用者は、図ｃ４に示すように、側部をつまんでボタン本体４１０の頭部４１１を水平方向に押しつぶす。そうすると、ボタン本体４１０の変形に伴って脚部４１２が強制的に上方に引き上げられる。そして、これに伴い、脚部４１２の下部が水平方向に開き、ボタン受具４２０を解放する。
【００３３】
以上、本発明の第４の実施形態について説明した。
以上のように本第４実施形態に係るボタンにおいても、ボタン本体４１０を押し込むだけの容易な操作でボタンを強固にとめることができると共に、ボタン本体４１０の頭部４１１をつまんでつぶすだけの、幼児や器用に手先が使えない状態にある人にとっても比較的容易に行うことができる操作でボタンをはずすことができる。
【図面の簡単な説明】
【００３４】
【図１】本発明の第１実施形態に係るボタンの構成を示す図である。
【図２】本発明の第２実施形態に係るボタンの構成を示す図である。
【図３】本発明の第３実施形態に係るボタンの構成を示す図である。
【図４】本発明の第４実施形態に係るボタンの構成を示す図である。
【符号の説明】
【００３５】
１１０…ボタン本体、１１１…頭部、１１２…脚部、１１３…係止部、１２０…ボタン受具、１２１…孔、２１０…ボタン本体、２１１…頭部、２１２…脚部、２１３…係止部、２１４…孔、２２０…ボタン受具、２２１…開口、２２２…孔、３１０…ボタン本体、３１１…頭部、３１２…竿部、３１３…弾性部材支持部、３１４…弾性部材、３２０…ボタン受具、３２１…開口、３２３…孔、４１０…ボタン本体、４１１…頭部、４１２…脚部、４１３…へこみ、４１４…孔、４２０…ボタン受具、４２１…孔。
【図１】
2006068185.tif 000003
【図２】
2006068185.tif 000004
【図３】
2006068185.tif 000005
【図４】
2006068185.tif 000006